【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
（ａ）２．２よりも大きいエポキシ官能価を有する多官能性エポキシ樹脂及び（ｂ）ジイソシアネート化合物の反応生成物であるイソシアネート変性エポキシ樹脂を含んでなるエポキシ樹脂組成物。
【請求項２】
前記多官能性エポキシ樹脂が２．５よりも大きいエポキシ官能価を有する請求項１に記載の組成物。
【請求項３】
前記多官能性エポキシ樹脂が３．０よりも大きいエポキシ官能価を有する請求項２に記載の組成物。
【請求項４】
前記多官能性エポキシ樹脂が３．５よりも大きいエポキシ官能価を有する請求項３に記載の組成物。
【請求項５】
前記多官能性エポキシ樹脂が２．５〜１０のエポキシ官能価を有する請求項１に記載の組成物。
【請求項６】
前記多官能性エポキシ樹脂が３．０〜８のエポキシ官能価を有する請求項５に記載の組成物。
【請求項７】
前記多官能性エポキシ樹脂が３．５〜６のエポキシ官能価を有する請求項６に記載の組成物。
【請求項８】
前記多官能性エポキシ樹脂が多官能性エポキシノボラック樹脂、エポキシ化ビスフェノールＡノボラック樹脂、ジシクロペンタジエン変性エポキシ、トリスエポキシ、クレゾールエポキシノボラック、アルキル化エポキシノボラック、四官能性エポキシ及びこれらの任意の組合せの少なくとも１種である請求項１に記載の組成物。
【請求項９】
前記多官能性エポキシ樹脂が多官能性エポキシノボラック樹脂である請求項８に記載の組成物。
【請求項１０】
前記ジイソシアネート化合物が２．０〜２．４のイソシアネート官能価を有する請求項１に記載の組成物。
【請求項１１】
前記ジイソシアネート化合物が２．０５〜２．３のイソシアネート官能価を有する請求項１０に記載の組成物。
【請求項１２】
前記ジイソシアネート化合物が２．１〜２．２５のイソシアネート官能価を有する請求項１１に記載の組成物。
【請求項１３】
前記ジイソシアネート化合物がトルエンジイソシアネート（ＴＤＩ）及びその異性体、メチレンビス（フェニルイソシアネート）（ＭＤＩ）及びその異性体並びにこれらの任意の混合物の少なくとも１種を含む請求項１に記載の組成物。
【請求項１４】
前記ジイソシアネート化合物がＴＤＩ、その異性体及びこれらの任意の混合物の少なくとも１種を含む請求項１３に記載の組成物。
【請求項１５】
前記ジイソシアネート化合物がＴＤＩの２，２′−、２，４′−及び４，４′−異性体並びにこれらの任意の混合物の少なくとも１種を含む請求項１４に記載の組成物。
【請求項１６】
前記ジイソシアネート化合物がＭＤＩ、その異性体及びこれらの任意の混合物の少なくとも１種を含む請求項１３に記載の組成物。
【請求項１７】
前記ジイソシアネート化合物がＭＤＩの２，４−及び２，６−異性体並びにこれらの任意の混合物の少なくとも１種を含む請求項１６に記載の組成物。
【請求項１８】
前記多官能性エポキシ樹脂が組成物中の多官能性エポキシ樹脂及びイソシアネート化合物の全重量基準で９８〜７５重量％である請求項１に記載の組成物。
【請求項１９】
前記多官能性エポキシ樹脂が組成物中の多官能性エポキシ樹脂及びイソシアネート化合物の全重量基準で９５〜８５重量％である請求項１８に記載の組成物。
【請求項２０】
前記イソシアネート変性エポキシ樹脂がオキサゾリドン／イソシアヌレート環のハイブリッドを含む請求項１に記載の組成物。
【請求項２１】
触媒を更に含む請求項１に記載の組成物。
【請求項２２】
前記触媒が、アミン、ホスフィン、アンモニウム、ホスホニウム、アルソニウム又はスルホニウム単位を含有する化合物の少なくとも１種を含む請求項２１に記載の組成物。
【請求項２３】
前記触媒が２−メチルイミダゾール、２−フェニルイミダゾール、１，８−ジアザビシクロ［５．４．０］ウンデク−７−エン（ＤＢＵ）及びこれらの任意の組合せの少なくとも１種を含む請求項２２に記載の組成物。
【請求項２４】
請求項１に記載のエポキシ樹脂組成物を含むエポキシ粉体コーティング組成物。
【請求項２５】
触媒、硬化剤及び添加剤を更に含む請求項２４に記載の組成物。
【請求項２６】
前記触媒がアミン、ホスフィン、アンモニウム、ホスホニウム、アルソニウム又はスルホニウム単位を含有する化合物の少なくとも１種を含む請求項２５に記載の組成物。
【請求項２７】
前記触媒が２−メチルイミダゾール、２−フェニルイミダゾール、イミダゾール誘導体、１，８−ジアザビシクロ［５．４．０］ウンデク−７−エン（ＤＢＵ）、２−メチルイミダゾール−エポキシ付加物、イソシアネート−アミン付加物及びこれらの任意の組合せの少なくとも１種を含む請求項２６に記載の組成物。
【請求項２８】
前記触媒がルイス酸を更に含む請求項２５に記載の組成物。
【請求項２９】
前記ルイス酸が亜鉛、スズ、チタン、コバルト、マンガン、鉄、ケイ素、アルミニウム、ホウ素のハロゲン化物、酸化物、水酸化物及びアルコキシド及びこれらの任意の組合せの少なくとも１種を含む請求項２８に記載の組成物。
【請求項３０】
前記ルイス酸がホウ酸、メタホウ酸、置換及び非置換のボロキシン、置換及び非置換のホウ酸エステル、酸化ホウ素、ハロゲン化ホウ素並びにこれらの任意の組合せの少なくとも１種を含む請求項２９に記載の組成物。
【請求項３１】
前記触媒がルイス酸とアミン触媒との混合物を含む請求項２８に記載の組成物。
【請求項３２】
前記ルイス酸の量が、アミン触媒の１モル当たり、少なくとも０．１モルのルイス酸である請求項３１に記載の組成物。
【請求項３３】
前記ルイス酸の量が、アミン触媒の１モル当たり、ルイス酸少なくとも０．３モルである請求項３２に記載の組成物。
【請求項３４】
前記ルイス酸の量が、アミン触媒の１モル当たり、ルイス酸５モル以下である請求項３１に記載の組成物。
【請求項３５】
前記ルイス酸の量が、アミン触媒の１モル当たり、ルイス酸３モル以下である請求項３４に記載の組成物。
【請求項３６】
前記ルイス酸の量が、アミン触媒の１モル当たり、ルイス酸少なくとも０．１モルで５モル以下である請求項３１に記載の組成物。
【請求項３７】
前記ルイス酸の量が、アミン触媒の１モル当たり、ルイス酸少なくとも０．３モルで３モル以下である請求項３６に記載の組成物。
【請求項３８】
前記硬化剤が、ジシアンジアミド、フェノールノボラック、ビスフェノール−Ａノボラック、ジシクロペンタジエンのフェノールノボラック、ジフェニルスルホン、スチレン−無水マレイン酸（ＳＭＡ）コポリマー及びこれらの任意の組合せを含む請求項２５に記載の組成物。
【請求項３９】
前記添加剤がＢａＳＯ4及びＴｉＯ2を含む請求項２５に記載の組成物。
【請求項４０】
前記組成物が１６０℃よりも高い樹脂架橋ガラス転移温度Ｔｇを有する請求項２４に記載の組成物。
【請求項４１】
前記樹脂架橋ガラス転移温度が１９０℃よりも高い請求項４０に記載の組成物。
【請求項４２】
前記樹脂架橋ガラス転移温度が２００℃よりも高い請求項４１に記載の組成物。
【請求項４３】
前記樹脂架橋ガラス転移温度が２００〜２５０℃である請求項４２に記載の組成物。
【請求項４４】
請求項２４に記載のエポキシ粉体コーティング組成物を含んでなる物品。
【請求項４５】
前記物品が電気ラミネート又は電気カプセル化である請求項４４に記載の物品。
【請求項４６】
前記物品がガス管又は油管である請求項４５に記載の物品。